(57)【要約】  【課題】過大な操作力を必要とすることなく軽い力でスムーズに第１綴じ部材及び第２綴じ部材の開閉作業を行えるとともに、第１綴じ部材及び第２綴じ部材の閉塞状態にする際の安定感や安全性が高く、さらに、開放手段としてバネ等の別の部材を備えなくてもよい綴じ具及びファイルを提供する。  【解決手段】表紙体１に取り付けられるベース２と、このベース２に回動可能に支持された複数の第１綴じ部材３、３と、前記ベースに回動可能に支持されるとともに前記第１綴じ部材３、３と係脱可能に係り合ってベース２と共に閉塞状態を形成する複数の第２綴じ部材４、４とを備えている綴じ具において、ベース２と第１綴じ部材３、３及び第２綴じ部材４、４とを直接的に係り合わせることによって第１綴じ部材３、３と第２綴じ部材４、４の係り合いを解除し開放状態とする方向の力をベース２に蓄積するように構成した。【選択図】図６
2004322631.tif 000002
【特許請求の範囲】
【請求項１】
表紙体に取り付けられるベースと、このベースに回動可能に支持された複数の第１綴じ部材と、前記ベースに回動可能に支持されるとともに前記第１綴じ部材と係脱可能に係り合ってベースと共に閉塞状態を形成する複数の第２綴じ部材とを具備するものであって、
ベースと第１綴じ部材及び第２綴じ部材とを直接的に係り合わせることによって、第１綴じ部材と第２綴じ部材の係り合いを解除し開放状態とする方向の力をベースに蓄積するように構成していることを特徴とする綴じ具。
【請求項２】
前記ベースが、表紙体に取り付けられる弾性変形可能なカバーと、第１綴じ部材及び第２綴じ部材を支持し前記カバーに固定した連結部材とを具備するものであって、第１綴じ部材及び第２綴じ部材の開閉動作に伴って前記連結部材が、カバーの内部で屈曲または湾曲等により変形し、この連結部材の変形による作用力をカバーへ伝達するように構成している請求項１記載の綴じ具。
【請求項３】
前記連結部材を、第１綴じ部材及び第２綴じ部材を各々支持するとともに、相互に係り合わせた第１連結板及び第２連結板から構成し、前記第１綴じ部材及び第２綴じ部材の開閉動作に伴って、係合部位を境にして第１連結板と第２連結板との相対的な姿勢が、前記開放状態と閉塞状態とで変化するように構成している請求項２記載の綴じ具。
【請求項４】
前記連結部材を、前記カバーに対して直接取り付けている請求項２又は３記載の綴じ具。
【請求項５】
前記連結部材の両外側縁部における全域又は一部を、前記カバーの側縁部に係り合わせている請求項４記載の綴じ具。
【請求項６】
前記連結部材の外側縁部における全域又は一部を、前記カバーの側縁部に挟み込み上下方向よりかしめることによって、カバーと連結部材とを一体的に固定している請求項５記載の綴じ具。
【請求項７】
前記カバーの一方又は両方の側縁部に、前記第１綴じ部材及び第２綴じ部材が開放状態となる方向へ前記連結部材に当接する開放補助片を形成している請求項５又は６記載の綴じ具。
【請求項８】
前記第１綴じ部材及び第２綴じ部材における、先端部同士を係り合わせて閉塞状態を形成した際に、これら第１綴じ部材及び第２綴じ部材がベースと共にリング状の閉ループを形成するように構成している請求項１、２、３、４、５、６又は７記載の綴じ具。
【請求項９】
第１綴じ部材の先端部に外向きの鈎状部を形成し、第２綴じ部材の先端部に内向きの鈎状部を形成して、対応位置にある第１綴じ部材及び第２綴じ部材の鈎状部同士によって、第１綴じ部材と第２綴じ部材とを係脱可能に係り合わせる係止部を構成している請求項８記載の綴じ具。
【請求項１０】
ベースの一側端部において長手方向に沿ってその所定距離を離間させた一対の第１綴じ部材と、各第１綴じ部材に対応付けてベースの他側端部に配置した一対の第２綴じ部材を具備している請求項９記載の綴じ具。
【請求項１１】
前記一対の係止部を、前記ベースの長手方向に対向させて配置している請求項１０記載の綴じ具。
【請求項１２】
表紙体と、この表紙体に取り付けられる綴じ具とを具備し、該綴じ具に、表紙体に取り付けられるベースと、このベースに回動可能に支持された複数の第１綴じ部材と、前記ベースに回動可能に支持されるとともに前記第１綴じ部材と係脱可能に係り合ってベースと共に閉塞状態を形成する複数の第２綴じ部材とを具備させてなるものであって、
ベースと第１綴じ部材及び第２綴じ部材とを直接的に係り合わせることによって、第１綴じ部材と第２綴じ部材の係り合いを解除し開放状態とする方向の力をベースに蓄積するように構成していることを特徴とするファイル。
【請求項１３】
前記ベースが、表紙体に取り付けられる弾性変形可能なカバーと、第１綴じ部材及び第２綴じ部材を支持し前記カバーに固定した連結部材とを具備するものであって、第１綴じ部材及び第２綴じ部材の開閉動作に伴って前記連結部材が、カバーの内部で屈曲または湾曲等により変形し、この連結部材の変形による作用力をカバーへ伝達するように構成している請求項１２記載のファイル。
【請求項１４】
前記連結部材を、第１綴じ部材及び第２綴じ部材を各々支持するとともに、相互に係り合わせた第１連結板及び第２連結板から構成し、前記第１綴じ部材及び第２綴じ部材の開閉動作に伴って、係合部位を境にして第１連結板と第２連結板との相対的な姿勢が、前記開放状態と閉塞状態とで変化するように構成している請求項１３記載のファイル。
【請求項１５】
前記連結部材を、前記カバーに対して直接取り付けている請求項１３又は１４記載のファイル。
【請求項１６】
前記連結部材の両外側縁部における全域又は一部を、前記カバーの側縁部に係り合わせている請求項１５記載のファイル。
【請求項１７】
前記連結部材の外側縁部における全域又は一部を、前記カバーの側縁部に挟み込み上下方向よりかしめることによって、カバーと連結部材とを一体的に固定している請求項１６記載のファイル。
【請求項１８】
前記カバーの一方又は両方の側縁部に、前記第１綴じ部材及び第２綴じ部材が開放状態となる方向へ前記連結部材に当接する開放補助片を形成している請求項１６又は１７記載のファイル。
【請求項１９】
前記第１綴じ部材及び第２綴じ部材における、先端部同士を係り合わせて閉塞状態を形成した際に、これら第１綴じ部材及び第２綴じ部材がベースと共にリング状の閉ループを形成するように構成している請求項１２、１３１４、１５、１６、１７又は１８記載のファイル。
【請求項２０】
第１綴じ部材の先端部に外向きの鈎状部を形成し、第２綴じ部材の先端部に内向きの鈎状部を形成して、対応位置にある第１綴じ部材及び第２綴じ部材の鈎状部同士によって、第１綴じ部材と第２綴じ部材とを係脱可能に係り合わせる係止部を構成している請求項１９記載のファイル。
【請求項２１】
ベースの一側端部において長手方向に沿ってその所定距離を離間させた一対の第１綴じ部材と、各第１綴じ部材に対応付けてベースの他側端部に配置した一対の第２綴じ部材を具備している請求項２０記載のファイル。
【請求項２２】
前記一対の係止部を、前記ベースの長手方向に対向させて配置している請求項２１記載のファイル。
【発明の詳細な説明】
【技術分野】
【０００１】
本発明は、書類等を綴じるための綴じ具、及びその綴じ具が適用されるファイルに関するものである。
【背景技術】
【０００２】
従来より、書類を綴じるためのファイルやバインダ等に用いられる綴じ具が、種々案出されている。このような綴じ具のうち、いわゆるリング式綴じ具と呼ばれるものは、ファイル等の背表紙若しくはこれの近傍に固定されるベースと、このベースの長手方向の２箇所に設けられた一対の第１綴じ部材と、これら第１綴じ部材の反対側に位置してこの第１綴じ部材の先端部に突き当たる一対の第２綴じ部材とにより構成されているのが通例である。このベースは、カバーと第１綴じ部材及び第２綴じ部材を支持する第１連結板及び第２連結板とで構成されている。また、第１連結板及び第２連結板は、カバーの短寸方向の両側端部における折り曲げ部位に単純に差し込んで外側端部を脱落不能に保持させており、カバーの内部において内側端部同士を係り合わせてカバーに保持された状態で外側端部を支点に相対角度が変化するように構成されている。具体的には、第１綴じ部材及び第２綴じ部材の基部側は、第１連結板及び第２連結板にそれぞれ連結しており、これにより、第１綴じ部材及び第２綴じ部材は、それぞれ同時に開閉する方向に回動可能とされている。そして、第１綴じ部材及び第２綴じ部材の先端部を突き当てて閉塞状態を形成している際に、前記第１連結板及び第２連結板は、相互に係り合わされた部位を境に若干下方に下がる谷形の姿勢をとり閉塞状態を維持する方向の力を蓄積しており、また、前記第１綴じ部材及び第２綴じ部材の先端部を離間させて開放状態を形成する際に、前記第１連結板及び第２連結板は、相互に係り合わされた部位を境に上方に上がる山形の姿勢となり開放状態を維持する方向の力を蓄積している。すなわち、第１綴じ部材と第２綴じ部材の閉塞状態と開放状態との中間状態においては、第１連結板と第２連結板とが、谷形又は、山形のいずれの姿勢をも取り得るように力が拮抗する思案点が存在しており、この思案点を境にして第１綴じ部材及び第２綴じ部材とが自動的に閉塞状態又は開放状態となるように構成されている。そのため、第１綴じ部材及び第２綴じ部材には、閉塞状態から開放状態とする際、又は逆に開放状態から閉塞状態とする際の何れにおいても前記思案点までは操作力を加える必要があり、しかも思案点を超えると勢いよく閉塞状態又は開放状態となることになる。このため、綴じ具の操作に慣れて当該思案点を感覚的に把握できるまでは、操作の意図とは逆方向へ第１綴じ部材及び第２綴じ部材が作動する可能性があった。
【０００３】
そこで、前述したような不具合を解消するものとして、第１綴じ部材及び第２綴じ部材とに相互に開放状態とする方向のみ作用力を蓄積するように構成した綴じ具が考えられている（例えば特許文献１参照）。この綴じ具は、上述した綴じ具と略同様に、カバーと第１連結部及び第２連結部とからなるベースと、相互に対をなす第１綴じ部材及び第２綴じ部材とから構成したものであるが、さらにベースには、第１綴じ部材及び第２綴じ部材の係り合いを解除する方向にのみ作用力を付与するための開放手段となるコイルバネ、板バネ、線状バネ等設けた構成を採用している。すなわちこのような開放手段は、第１綴じ部材と第２綴じ部材とが開放状態となる第１連結板及び第２連結板を山形の姿勢とするように力を付与すべく設けられたものである。そのため、閉塞状態と開放状態との間には思案点が存在しないので、操作力を加えれば自動的に閉塞状態から開放状態とすることができ、逆に開放状態にある第１綴じ部材及び第２綴じ部材を綴じる際には、これら第１綴じ部材と第２綴じ部材とが係合するまで閉じるという意図を持って継続的に操作力を加えることとなる。その結果、第１綴じ部材と第２の綴じ部材との意図せざる開閉動作が生じにくく、操作性が従来のものよりも向上しているといえる。
【特許文献１】特願２００２―２５４５８０明細書
【発明の開示】
【発明が解決しようとする課題】
【０００４】
ところが、このような構成の綴じ具であると、上述した従来品の綴じ具に開放手段としてのコイルバネ、板バネ、線状バネ等の部材を追加する必要があり、その部材の調達や、それらの部材を綴じ具に設けるための部位の形成や組み付け等に要するコストが増加する。また、前記開放手段であるコイルバネ、板バネ、線状のバネ等が、破損や、無理な使用によって開放手段として機能しなくなった場合には、第１綴じ部材及び第２綴じ部材の先端部の係り合わせを解除してもスムーズに開放状態を形成することが困難となり、また、閉塞状態を形成する際には、第１連結板及び第２連結板に蓄積する開放状態を維持する方向の力が閉塞状態を維持する方向の力に強制的に変位させないとならなくなるためにスムーズに閉塞状態を形成することが困難となる。さらに、開放手段が全く機能しなくなると、開放手段を有さない従来品と実質的に全く同様の構成となってしまい、折角解消させた従来品の不具合が現出してくる。
【０００５】
そこで本発明は、以上のような問題に鑑みて、開放手段としてバネ等の格別の部材を必要とせずに、過大な操作力を必要とすることなく軽い力でスムーズに第１綴じ部材及び第２綴じ部材の開閉作業を行うことができるように操作性を向上させた綴じ具並びにその綴じ具を備えたファイルを提供することを主たる目的としている。
【課題を解決するための手段】
【０００６】
すなわち、本発明に係る綴じ具は、表紙体に取り付けられるベースと、このベースに回動可能に支持された複数の第１綴じ部材と、前記ベースに回動可能に支持されるとともに前記第１綴じ部材と係脱可能に係り合ってベースと共に閉塞状態を形成する複数の第２綴じ部材とを備えたものであって、ベースと第１綴じ部材及び第２綴じ部材とを直接的に係り合わせることによって第１綴じ部材と第２綴じ部材の係り合いを解除し開放状態とする方向の力をベースに蓄積するように構成していることを特徴とするものである。また、本発明に係るファイルは、以上のような綴じ具と、この綴じ具を取り付ける表紙体とを具備するものである。
【０００７】
このような綴じ具又は当該綴じ具を備えたファイルであれば、閉塞状態から第１綴じ部材及び第２綴じ部材の先端部の係り合いを解除し開放状態にする際には、ベースと第１綴じ部材及び第２綴じ部材とが直接的に係り合わされていることで開放状態となる方向の力がベースにバランスよく蓄積されることになる。従って上述した開放手段としてのバネ等を設けた場合と同様に、第１綴じ部材及び第２綴じ部材を、軽い力でスムーズに開放状態とすることができ、バネ等の開放手段を特になくてもよいこととなりコストダウンと部品点数の削除を有効に図ることができる。また、第１綴じ部材と第２綴じ部材とが開放状態となるまでは、常に開放状態とする力がベースに蓄積されているため、開放状態と閉塞状態との間に上述の従来品のような思案点が存在しないので、第１綴じ部材と第２綴じ部材とが使用者の意に反した動作をすることがなく、使用感や操作性が向上することとなる。
【０００８】
また、ベースを、表紙体に取り付けられる弾性変形可能なカバーと、第１綴じ部材及び第２綴じ部材を支持し前記カバーに固定した連結部材とを備えるものとして、第１綴じ部材及び第２綴じ部材の開閉動作に伴って前記連結部材が、カバーの内部で屈曲または湾曲等により変形し、この連結部材の変形による作用力をカバーへ伝達するように構成すれば、カバーにその弾性変形によって開閉動作による作用力をバランスよく蓄積することができ、スムーズな開閉動作で、開放状態及び閉塞状態を形成することが可能となる。
【０００９】
この場合、連結部材を、第１綴じ部材及び第２綴じ部材を各々支持するとともに、相互に係り合わせた第１連結板及び第２連結板から構成すれば、前記第１綴じ部材及び第２綴じ部材の開閉動作に伴って、係合部位を境にして第１連結板と第２連結板との相対的な姿勢を、前記開放状態と閉塞状態とで簡単に変化させることができる。そのため、前記第１連結部及び第２連結部に支持された第１綴じ部材及び第２綴じ部材にて形成される開放状態及び閉塞状態もスムーズに形成することが可能となる。
【００１０】
また、開閉動作に伴う作用力の損失を招かずに適切にカバーに伝えることができるようにするためには、連結部材を、カバーに対して直接取り付けることが好ましい。
【００１１】
この場合、連結部材のカバーに対する取り付けを簡便なものとするには、連結部材の両外側縁部における全域又は一部を、カバーの側縁部に係り合わせるいようにするとよい。
【００１２】
具体的に、カバーと連結部材とを一体的に固定する有用且つ簡易な構成としては、前記連結部材の外側縁部の全域又は一部を、カバーの側縁部に挟み込んで上下方向よりかしめるようにしたものが挙げられる。ただし、カバーの側縁部で連結部材の側縁部を完全にかしめるのではなく、脱落し得ない程度に引っ掛けて係り合わせるようにしてもよい。
【００１３】
これらの場合、第１綴じ部材及び第２綴じ部材の開放状態における姿勢の安定化を図るには、カバーの一方又は両方の側縁部に、第１綴じ部材及び第２綴じ部材が開放状態となる方向へ連結部材に当接する開放補助片を形成することが有効となる。
【００１４】
以上のような綴じ具の構成を利用して、使い易いリング式の綴じ具やファイルを構成するには、第１綴じ部材及び第２綴じ部材における先端部同士を係り合わせて閉塞状態を形成した際に、これら第１綴じ部材及び第２綴じ部材がベースと共にリング状の閉ループを形成するように構成するとよい。特にこのようなリング式の綴じ具の場合には、第１綴じ部材及び第２綴じ部材の先端部が解除され開放状態となる方向の力をベースに蓄積させることで、閉塞状態から開放状態とする際には、第１綴じ部材と第２綴じ部材との係合を解除する操作だけで自動的に開放状態となり、開放状態から閉塞状態とする際には、第１綴じ部材と第２綴じ部材とが係合するまで意識的に外力を加えることで閉塞状態とすることができ、何れの場合にも第１綴じ部材と第２綴じ部材とが使用者の意図に反して作動することを防ぐことができる。
【００１５】
また、第１綴じ部材の先端部に外向きの鈎状部を形成し、第２綴じ部材の先端部に内向きの鈎状部を形成して、対応位置にある第１綴じ部材及び第２綴じ部材の鈎状部同士によって、第１綴じ部材と第２綴じ部材とを係脱可能に係り合わせる係止部を構成すれば、前記第１綴じ部材及び第２綴じ部材の先端部同士を係り合わせて、前記第１綴じ部材及び第２綴じ部材にて閉ループを簡単に、且つ、確実に形成することができる。
【００１６】
その場合、閉塞状態から開放状態にする際に、先端部の係り合いを片手で軽い力で簡単に解除し開放状態にするためには、この綴じ具にベースの一側端部において長手方向に沿ってその所定距離を離間させた一対の第１綴じ部材と、各第１綴じ部材に対応付けてベースの他側端部に配置した一対の第２綴じ部材を設けることが望ましい。さらに、このようにして形成された一対の係止部を、ベースの長手方向に沿って対向配置することで、第１綴じ部材と第２綴じ部材とをワンタッチで極めて簡単に開放状態とすることが可能となる。ここで、一対の係止部同士が対向するとは、それら係止部がベースの長手方向に正対している態様はもとより、第１綴じ部材と第２綴じ部材とが適正に係脱可能な程度で一対の係止部がベースの長手方向に対して若干偏位して形成されている態様も含まれる。
【発明の効果】
【００１７】
以上詳述したように、本発明の綴じ具又はその綴じ具を表紙体に取り付けたファイルであれば、綴じ具においてベースと第１綴じ部材及び第２綴じ部材とを直接的に係り合わせることによって第１綴じ部材と第２綴じ部材の係り合いを解除し開放状態とする方向の力をベースに蓄積するように形成している。そのため、開放手段としてのバネ等を設けた従来品の場合と同様に、第１綴じ部材及び第２綴じ部材を、軽い力でスムーズに開放状態とすることができるうえに、バネ等の開放手段を別途に設けずともよいこととなり、コストダウンと部品点数の削除を有効に図ることがでる。さらに、第１綴じ部材及び第２綴じ部材とが係り合った閉塞状態ではそれらの係合を解除する操作力を加えるだけで開放状態を得ることができ、逆に開放状態を閉塞状態とする場合には第１綴じ部材と第２綴じ部材とを係り合わせるまで綴じるという意図を持って操作力を加えることになるため、何れの操作の際にも、第１綴じ部材及び第２綴じ部材が使用者の意に反して作動するというような不具合の発生をなくすことが可能である。
【発明を実施するための最良の形態】
【００１８】
以下、本発明の実施形態を、図面を参照して説明する。
【００１９】
図１に示すように、この実施形態に係るファイルＦは、中間に背表紙１１を介して連なる表表紙１２及び裏表紙１３を備えた表紙体１と、背表紙１１の内面に装着された綴じ具Ｔとから構成したものである。
【００２０】
この綴じ具Ｔは、背表紙１１の長手方向に延びるとともにこの背表紙１１の内面にリベットＬを介して取り付けられるベース２と、このベース２の裏表紙１３側の端部にそれぞれ支持された一対の第１綴じ部材３、３と、ベース２の表表紙１２側の端部にそれぞれ支持されるとともに、前記第１綴じ部材３、３の先端部３１、３１に係り合って閉ループを形成する一対の第２綴じ部材４、４とで構成されている。なお、本実施形態では綴じ具Ｔを背表紙１１に取り付けた態様を示しているが、斯かる綴じ具Ｔは裏表紙１３や表表紙１２に取り付けて使用することができるのはいうまでもない。
【００２１】
図２、図３及び図４に示すように、前記ベース２は、カバー２１と連結部材２０とから構成される。
【００２２】
カバー２１は、特に限定されるものではないが例えば薄肉のステンレス材からなり、下方（背表紙１１側）へ開口した状態で背表紙１１に取り付けられるものである。このカバー２１の上壁２１ｇは、中央部が最大高さとなる湾曲形状をした細長い形状としており、この上壁２１ｇの長手方向の両端部は半円弧状で形成されており後述する取付面部２１ａの一部を切り欠いた形状としている。そして、前記カバー２１の上壁２１ｇの長手方向の両端部は、背表紙１１に当接して取り付けられる一対の段押しされた取付面部２１ａ、２１ａを形成し、この取付面部２１ａ、２１ａの面内略中央部には、リベット穴２１ｂ、２１ｂを各々１つずつ形成している。また、前記カバー２１の上壁２１ｇの両側端部には、長手方向に亘って内側方に折り曲げられる一対の突片２１ｃ、２１ｃを折り曲げ線（図示省略）を境に連続して形成しており、これら突片２１ｃ、２１ｃを内側方に向けて略水平に折り曲げている。さらに、前記カバー２１の上壁２１ｇの一側端部には、第１綴じ部材３、３を通過させるための一対の第１スロット穴２１ｄ、２１ｄが所定距離を離間させて形成し、また、一方の側端部には、前記第１スロット穴２１ｄ、２１ｄに対応付けて第２綴じ部材４、４を通過させるための一対の第２スロット穴２１ｅ、２１ｅを形成している。前記第１スロット穴２１ｄ、２１ｄは、前記カバー２１の上壁２１ｇの中央部近傍から側端部に亘って細長い穴として形成したものであり、一方の第２スロット穴２１ｅ、２１ｅは、第１スロット穴２１ｄ、２１ｄと同様に前記カバー２１の上壁２１ｇの中央部近傍から側端部に連続して形成された突片２１ｃを通過して形成したものであって、この第２スロット穴２１ｅ、２１ｅの側端部は開放している。これにより、第１綴じ部材３、３及び第２綴じ部材４、４の回転角度が大きく確保し得るようになっている。
【００２３】
次に、連結部材２０は、第１連結板２２及び第２連結板２３によって構成されている。これら、第１連結板２２及び第２連結板２３は、前記第１綴じ部材３、３及び第２綴じ部材４、４を支持するものであって、矩形状の細長い形状とし、前記カバー２１よりも厚みのある金属板にて形成されている。矩形状の細長い形状をなす前記第１連結板２２は、長手方向の内側縁２２ａの上端部及び下端部に前記第１連結板２２の上面２２ｂより若干上方に位置するように段押しされ、前記内側縁２２ａよりも若干突出した小突片２２ｃ、２２ｃを形成している。また、第１連結板２２に支持される第１綴じ部材３、３を、第１連結板２２の短寸側の略中央部の前記小突片２２ｃ、２２ｃの外側に前記第１綴じ部材３、３の基部を第１連結板２２の下面２２ｄ側より貫通させてかしめることで固定している。一方、前記第２連結板２３は、前記第１連結板２２と略同様に、長手方向の内側縁２３ａに第１連結板２２に形成された小突片２２ｃ、２２ｃと対応する箇所よりも外側寄りに前記第１連結板２２と同様の小突片２３ｃ、２３ｃを形成している。また、第２連結板２３に支持される第２綴じ部材４、４を、第２連結板２３の短寸側の略中央部の前記小突片２３ｃ、２３ｃの内側に前記第２綴じ部材４、４の基部をこの第２連結板２２の下面２３ｄ側より貫通させてかしめることによって固定している。さらに、第１連結板２２及び第２連結板２３の外側縁２２ｅ、２３ｅには、それら短寸方向幅を次第に狭くする傾斜縁２２ｆ、２２ｆ、２３ｆ、２３ｆを形成しており、これにより、第１連結板２２及び第２連結板２３の長手方向の外側領域を撓み易くしている。
【００２４】
次に、第１綴じ部材３、３及び第２綴じ部材４、４は、前記第１連結板２２及び第２連結板２３に支持されるものであって、この第１綴じ部材３、３及び第２綴じ部４、４の先端部３１、３１、４１、４１に係脱可能の形成された係止部５を介することで閉ループを形成し、ベース２と共に閉塞状態を形成するものであり、また、前記係止部５を解除することで開放状態を形成する。この第１綴じ部材３、３及び第２綴じ部材４、４は、断面楕円形状の線材を曲げることによって形成している。前記第１綴じ部材３、３は、正面視略半円弧状に形成し、一方、第２綴じ部材４、４は、正面視略Ｕ字状に形成している。そして、第１綴じ部材３、３の先端部３１、３１には、外向きの鈎状部３１ａ、３１ａを形成し、第２綴じ部材４、４の先端部４１、４１には、前記外向き鈎状部３１ａ、３１ａに係り合い可能な内向き鈎状部４１ａ、４１ａを形成している。
【００２５】
次にこの綴じ具Ｔの組立手順を説明する。ここで、図５（ａ）に綴じ具Ｔを閉塞状態にした際の正面図、同図（ｂ）に綴じ具Ｔを開放状態にした際の正面図、図６（ａ）に綴じ具Ｔを閉塞状態にした際の断面図、同図（ｂ）に綴じ具Ｔを開放状態にした際の断面図を示す。まず、前記カバー２１の開放している下方から、前記第１スロット穴２１ｄ、２１ｄ側の折り曲げ線（図示省略）に第１連結板２２の外側縁２２ｅを沿わせて、この第１連結板２２に支持させた前記第１綴じ部材３、３の先端部３１、３１をカバー２１の上壁２１ｇに形成した第１スロット穴２１ｄ、２１ｄに挿入する。一方、第２連結板２３も第１連結板２２と同様に、前記第２スロット穴２１ｅ、２１ｅ側の折り曲げ線（図示省略）に第２連結板２３の外側縁２３ｅを沿わせて前記第２綴じ部材４、４の先端部４１、４１を第２スロット穴２１ｅ、２１ｅに挿入する。これにより、前記第１連結板２２の内側縁２２ａに形成された小突片２２ｃ、２２ｃの上方に前記第２連結板２３の内側縁２３ａが当接される。一方、第２連結板２３の内側縁２３ａに形成された小突片２３ｃ、２３ｃの上方に第１連結板２２の内側縁２２ａが当接されて第１連結板２２の内側縁２２ａ及び第２連結板２３の内側縁２３ａ同士が相互に突き合うように構成される。このようにして、第１連結板２２及び第２連結板２３の内側縁２２ａ、２３ａ同士の間に係合部２４が形成される。この際の第１連結板２２及び第２連結板２３に支持されている第１綴じ部材３、３及び第２綴じ部材４、４は、この第１綴じ部材３、３及び第２綴じ部材４、４の先端部３１、３１、４１、４１同士を係り合わせることによって、閉ループを形成しベース２と共に閉塞状態を形成するようにしておく。
【００２６】
そして、前記カバー２１に形成されて内側方に折り曲げられた突片２１ｃ、２１ｃに保持されている第１連結板２２及び第２連結板２３は、この突片２１ｃ、２１ｃとカバー２１の外側縁２１ｆ、２１ｆにおいて上壁２１ｇと突片２１ｃ、２１ｃとで上下方向から挟み込んでかしめることによってカバー２１と共に一体のベース２を構成する。そして、カバー２１とそれに直接固定された第１連結板２２及び第２連結板２３との間に内部空間２Ｓが形成される。そしてこの内部空間２Ｓにおいて、第１連結板２２及び第２連結板２３は、前記係合部２４によって取り得る姿勢が規制されている。すなわち、第１綴じ部材３、３の先端３１、３１と第２綴じ部材４、４の先端部４１、４１とが係り合って閉塞状態を形成している際の第１連結板２２及び第２連結板２３は、前記係合部２４を境に若干下方に下がるように屈曲して谷形の姿勢となる。また、第１綴じ部材３、３の先端部３１、３１と第２綴じ部材４、４の先端部４１、４１との係り合いを解除し開放状態とした際には、第１連結板２２及び第２連結板２３は、係合部２４を境に上方に屈曲して山形の姿勢となる。このような第１連結板２２と第２連結板２３の姿勢変更は、第１綴じ部材３、３と第２綴じ部材４、４に対する外的な開放操作に伴って生じるが、この第１連結板２２及び第２連結板２３が直接カバー２１に固定されているので、操作力がカバー２１に直接的に伝達されされることになる。そのため、カバー２１の湾曲形状を形成している上壁２１ｇは、第１連結板２２及び第２連結板２３の姿勢変更時に押し広げられて僅かに外側方へ弾性変形することになり、第１綴じ部材３、３及び第２綴じ部材４、４が常時開放状態となる方向、すなわち閉塞状態が解除される方向に作用力を蓄積して板バネとして機能することになる。
【００２７】
なお、第１綴じ部材３、３及び第２綴じ部材４、４がベース２と共に閉ループを形成する閉塞状態から、この閉ループを解除して開放状態とする場合には、第１綴じ部材３、３の各先端部３１、３１に、図示しないが例えば親指と人差し指を跨ぐように掛け、両指を相互に接近させる方向（図２中矢印Ｐ方向）に操作力を付与して第１綴じ部材３、３同士が相寄る内向き方向へ撓ませて、係止部５における係合状態を解除すればよい。このようにすることで、カバー２１に蓄積された作用力が第１連結板２２と第２連結板２３を谷形から山形へ姿勢変更させる力に変換され、それに伴って第１綴じ部材３、３と第２綴じ部材４、４とが自動的に回動して開放状態へと向かう。
【００２８】
この逆に、第１綴じ部材３、３及び第２綴じ部材４、４を開放状態から閉塞状態に戻す場合は、前記カバー２１に蓄積された作用力に抗して対応する位置にある第１綴じ部材３、３及び第２綴じ部材４、４を相互に接近させる方向に指で摘むなどして回動させればよい。これにより、係止部５における第１綴じ部材３、３に形成された外向きの鈎状部３１ａ、３１ａ及び第２綴じ部材４、４に形成された内向きの鈎状部４１ａ、４１ａが相互に滑りながら係り合って閉ループが形成され閉塞状態が形成される。また、前記係止部５により第１綴じ部材３、３及び第２綴じ部材４、４が係り合っている力が、カバー２１の上壁２１ｇが板バネとして蓄積しているバネ力以上となるため、第１綴じ部材３、３に対して閉塞状態から開放状態にするための前記操作力を付与しない限り、第１綴じ部材３、３及び第２綴じ部材４、４の先端部３１、３１、４１、４１が係り合って形成する閉塞状態が維持されて、不用意な開放状態を形成することがない。
【００２９】
以上のように、本実施形態のファイルＦにおける綴じ具Ｔは、表紙体１に取り付けられるベース２と、このベース２に回動可能に支持された第１綴じ部材３、３と、前記ベース２に回動可能に支持されるとともに前記第１綴じ部材３、３に係脱可能に係り合ってベース２と共に閉塞状態を形成する第２綴じ部材４、４とで構成されており、ベース２と第１綴じ部材３、３及び第２綴じ部材４、４とを直接的に係り合わせることによって第１綴じ部材３、３と第２綴じ部材４、４の係り合いを解除し開放状態とする方向の力をベース２に蓄積するように形成している。そのため、開放手段としてのバネ等を設けた従来品の場合と同様に、第１綴じ部材３、３及び第２綴じ部材４、４を、軽い力でスムーズに開放状態とすることができるが、このようなバネ等の開放手段を特に設けなくてもよいこととなり、コストダウンと部品点数の削除を有効に図ることができる。さらに、開放状態と閉塞状態との間に従来品のような蓄積された力が拮抗する思案点が存在しないので、第１綴じ部材３、３及び第２綴じ部材４、４を操作して開放状態又は閉塞状態とする場合には、使用者の意図しない作動がなされることもない。
【００３０】
また、ベース２を、表紙体１に取り付けられる弾性変形可能なカバー２１と、第１綴じ部材３、３及び第２綴じ部材４、４を支持し前記カバー２１と一体的に固定した連結部材２０とで構成しており、この連結部材２０を、第１綴じ部材３、３及び第２綴じ部材４、４を各々支持しつつ相互に係り合わせた第１連結板２２及び第２連結板２３によって構成している。そのため、第１綴じ部材３、３及び第２綴じ部材４、４の開閉動作に伴って相互に係り合わせた第１連結板２２及び第２連結板２３は、係合部２４を境にしてカバー２１の内部で簡単に屈曲等により姿勢変更させることができる。さらに、第１連結板２２及び第２連結板２３の外側縁２２ｅ、２３ｅを、カバー２１の側縁２１ｆ、２１ｆに挟み込んで上下方向よりかしめてこのカバー２１に対して直接取り付けているため、第１綴じ部材３、３と第２綴じ部材４、４の開閉動作に伴う第１連結板２２と第２連結板２３との姿勢変更による作用力の損失を招かずに適切にカバーに伝えることができる。
【００３１】
そして、第１綴じ部材３、３及び第２綴じ部材４、４は、ベース２と共にリング状の閉ループを形成しているので、この綴じ具Ｔを使い易いリング式の綴じ具Ｔとすることができる。閉塞状態を形成する際に、第１綴じ部材３、３と第２綴じ部材４、４との間に使用者が指を挟むという恐れを解消する効果がより有効なものになる。
【００３２】
また、第１綴じ部材３、３の先端部３１、３１に外向きの鈎状部３１ａ、３１ａを形成し、第２綴じ部材４、４の先端部４１、４１に内向きの鈎状部４１ａ、４１ａを形成して、対向位置にある第１綴じ部材３、３及び第２綴じ部材４、４の鈎状部３１ａ、３１ａ、４１ａ、４１ａ同士によって、第１綴じ部材３、３と第２綴じ部材４、４とを係脱可能に係り合わせる係止部５を構成しているので、前記第１綴じ部材３、３及び第２綴じ部材４、４の先端部３１、３１、４１、４１同士を係り合わせて、前記第１綴じ部材３、３及び第２綴じ部材４、４にて閉ループを簡単に、且つ、確実に形成することができる。
【００３３】
そして、ベース２の一側端部において長手方向に沿ってその所定距離離間させた一対の第１綴じ部材３、３と、各第１綴じ部材３、３に対応付けてベース２の他側端部に配置した一対の第２綴じ部材４、４を設けているため、閉塞状態から開放状態にする際には、片手で第１綴じ部材３、３を接近させるように摘めば軽い力で簡単に第１綴じ部材３、３と第２綴じ部材４、４との係り合いを解除することができる。
【００３４】
ここで、上述したファイルの綴じ具には以下に説明するような変形例を採用することが可能である。なお、下記の各変形例においてベースのカバーを除く構成要素については、上述した実施形態と同様であるので同一の符号を附して説明するものとする。
【００３５】
例えば、図７に底面図、図８に作用を表す断面図を示す綴じ具Ｔ'において、カバー２１'は、前記実施形態と同様の上壁２１ｇ'を主体とし、この上壁２１ｇ'の両側縁部に沿って内方へ折り返した一対の突片２１ｃ'を形成したものであるが、本変形例においては上壁２１ｇ'と突片２１ｃ'との間に第１連結板２２及び第２連結板２３の外側縁部をかしめるのではなく、上壁２１ｇ'と突片２１ｃ'との間の隙間に第１連結板２２及び第２連結板２３の外側縁部を引っ掛けた状態で係り合わせている。そのため、突片２１ｃ'の上壁２１ｇ'からの折り曲げ角度は、前記実施形態の場合よりも緩くしてある。また、上壁２１ｇ'の両側縁部における長手方向中央部には、突片２１ｃ'に代えて底面視矩形状をなす開放補助片２１ｈ'を対にして形成している。これら開放補助片２１ｈ'は、前記各突片２１ｃ'と基端部を同じくしているが、図８に示すように上壁２１ｇ'の各側縁部から概略Ｖ字形状をなすように折り曲げ形成されており、その先端部を、第１連結板２２、第２連結板２３の幅方向中央部よりも若干外方に位置付けてこれら第１連結板２２、第２連結板２３に対して下方から当接させている。このような構成とすることで、カバー２１'の側縁部において第１連結板２２及び第２連結板２３の側縁部をかしめなくても、第１連結板２２及び第２連結板２３をそれぞれ下方から開放補助片２１ｈ'によって支持させた状態で第１綴じ部材３、３と第２綴じ部材４、４を開閉することが可能であるので、図８（ａ）に示す第１連結板２２及び第２連結板２３と第１綴じ部材３、３及び第２綴じ部材４、４の閉塞状態における谷形の姿勢はもとより、特に同図（ｂ）に示す開放状態における山形の姿勢を安定化させることができる。すなわち、第１連結板２２及び第２連結板２３は上記実施形態のようにカバー２１'にかしめて固定してあるわけではないが、本変形例のようにカバー２１'の側縁部に引っ掛けた状態で支持させていても開放状態とする力をカバー２１'に蓄積させることは可能であり、しかも開放補助片２１ｈ'によって第１連結板２２及び第２連結板２３が開放状態となる山形の姿勢に下方から押されているため、安定した開放状態が得られることになる。また、この他に本変形例により奏される効果は上述した実施形態に基づく効果と同様である。
【００３６】
なお、上記変形例において、開放補助片２１ｈ'の大きさ、数、形状、位置等は任意である。例えば図９に底面図、図１０に作用を表す断面図を示す綴じ具Ｔ''において、カバー２１''は、上壁２１ｇ''の両側端部に上記変形例と同様の突片２１ｃ''を形成するとともに、上壁２１ｇ''の両側縁部における長手方向中央部に突片底面視矩形状をなす開放補助片２１ｈ''を対にして形成したものであるが、これら開放補助片２１ｈ''は、上記変形例の開放補助片２１ｈ'よりも大型のものであり、先端部２１ｈａ''を上方へ屈曲させた状態でそれぞれ第１連結板２２、第２連結板２３に下方から当接させている。斯かる開放補助片２１ｈ''のＶ字形状は上記変形例の開放補助片２１ｈ'よりも大きく、先端部２１ｈａ''の当接位置は第１連結板２２、第２連結板２３の幅方向中央部よりも若干内側端部寄りとしている。このように、開放補助片２１ｈ''を大きく形成して、しかも第１連結板２２、第２連結板２３への当接位置を内寄りとすることで、第１綴じ部材３と第２綴じ部材４との閉塞状態（図１０（ａ））における開放補助片２１ｈ''の第１連結板２２及び第２連結板２３への弾性付勢力を強化しつつ、第１綴じ部材３と第２綴じ部材４との開放状態（図１０（ｂ））における第１連結板２２及び第２連結板２３、並びに第１綴じ部材３及び第２綴じ部材４の姿勢をより安定化することができる。
【００３７】
また、例えば図１１に底面図、図１２（（ａ）；閉塞状態、（ｂ）；開放状態）に作用を表す断面図を示す綴じ具Ｔ'''のように開放補助片２１ｈ'''はカバー２１'''の上壁２１ｇ'''の両側端部のうち一方にのみ設けてもよい。この変形例では、第１連結板２２はその外側縁部の全域を突片２１ｃ'''と上壁２１ｇ'''との間に引っ掛けて係合させる一方で、第２連結板２３は、外側縁部を部分的に突片２１ｃ'''と上壁２１ｇ'''との間に引っ掛けて係合させるとともに上記変形例の開放補助片２１ｈ''と同様の先端部２１ｈａ'''を上方へ屈曲させた開放補助片２１ｈ'''を下方から当接させている。このように、一方の連結板（本例では第２連結板２３）にのみ開放補助片２１ｈ'''を当接させる構成としても、第１連結板２２と第２連結板２３とを内側縁部で相互に係合させているため、開放補助片２１ｈ'''による第１連結板２２及び第２連結板２３、並びに第１綴じ部材３及び第２綴じ部材４の開放状態における姿勢の安定化は十分に実現することができる。
【００３８】
なお、本発明は上述した実施形態や変形例に限られるものではない。例えば上述した実施形態の第１綴じ部材と第２綴じ部材の先端部の鈎状部とは逆に、第１綴じ部材の先端部には内向きの鈎状部を形成し、第２綴じ部材の先端部には前記内向きの鈎状部に係り合い可能な外向きの鈎状部を形成して、第１綴じ部材を相互に離間させて開放状態を形成するような構成とすることもできる。また、第２綴じ部材を相互に接近させる方向に操作力を付与し開放状態を形成したり、第２綴じ部材に指を掛けてこの第２綴じ部材同士を離間させることによって、第１綴じ部材と第２綴じ部材の係り合いを解除することで開放状態を形成することもできる。また、第１綴じ部材及び第２綴じ部材の先端部を、捻り操作することによって閉塞状態から開放状態するような構成としてもよい。その際には、第１綴じ部材及び第２綴じ部材の先端部にそれぞれ突部を設けこれら突部同士を係り合わせるようにすればよい。
【００３９】
更に、前記実施形態や変形例では、第１綴じ部材や第２綴じ部材に直接的に操作力を加えるように構成したが、別途に第１綴じ部材及び第２綴じ部材を開閉させる操作機構を設けてもよい。
【００４０】
また、前記実施形態では、第１綴じ部材及び第２綴じ部材は各１対となる合計４本としたが、更に本数を増やしてもよい。
【００４１】
さらに、第１綴じ部材及び第２綴じ部材は、ベースと共に閉ループをなすようなものでなくてもよい。
【００４２】
また、連結部材は、前記実施形態や変形例では連結部材を第１連結板及び第２連結板との２つの部材で構成しているが、この連結部材を１つの部材で構成しても構わない。その際には、この連結板に谷形及び山形となる姿勢変更が可能なように溝や折り目等を形成しておくとよい。
【００４３】
さらに、カバーによって連結板ないし連結部材をかしめる場合、その構造については、カバーの両側端部に形成した突片の先端を更に上方へ折り返したり、突片に上方を向く凸部を形成し、その突片の先端や凸部とカバーの上壁の下面との間に連結板ないし連結部材を挟み込んだ状態で固定するものとしてもよい。
【００４４】
その他、各部の具体的構成についても上記実施形態に限られるものではなく、本発明の趣旨を逸脱しない範囲で種々変形が可能である。
【図面の簡単な説明】
【００４５】
【図１】本発明の実施形態に係るファイルの一部を示す全体斜視図。
【図２】同ファイルにおける綴じ具を示す全体斜視図。
【図３】同平面図。
【図４】同底面図。
【図５】同綴じ具の閉塞状態及び開放状態を示す正面図。
【図６】同閉塞状態及び開放状態を示すＡ-Ａ線で破断して示す作用説明図。
【図７】同実施形態における綴じ具の一変形例を示す底面図。
【図８】同変形例における綴じ具の閉塞状態及び開放状態をＢ-Ｂ線で破断して示す作用説明図。
【図９】同実施形態における綴じ具の他の変形例を示す底面図。
【図１０】同変形例における綴じ具の閉塞状態及び開放状態をＣ-Ｃ線で破断して示す作用説明図。
【図１１】同実施形態における綴じ具のさらに他の変形例を示す底面図。
【図１２】同変形例における綴じ具の閉塞状態及び開放状態をＤ-Ｄ線で破断して示す作用説明図。
【符号の説明】
【００４６】
１…表紙体
２…ベース
３…第１綴じ部材
４…第２綴じ部材
５…係止部
２０…連結部材
２１，２１'，２１''，２１'''…カバー
２１ｈ'，２１ｈ''，２１ｈ'''…開放補助片
２２…第１連結板
２３…第２連結板
３１…先端部
３１ａ…鈎状部
４１…先端部
４１ａ…鈎状部
Ｆ…ファイル
Ｔ，Ｔ'，Ｔ''，Ｔ'''…綴じ具
【図１】
2004322631.tif 000003
【図２】
2004322631.tif 000004
【図３】
2004322631.tif 000005
【図４】
2004322631.tif 000006
【図５】
2004322631.tif 000007
【図６】
2004322631.tif 000008
【図７】
2004322631.tif 000009
【図８】
2004322631.tif 000010
【図９】
2004322631.tif 000011
【図１０】
2004322631.tif 000012
【図１１】
2004322631.tif 000013
【図１２】
2004322631.tif 000014